(57)【要約】【課題】  平面型表示装置の梱包時の奥行き寸法を短くした上で高さ寸法も短くする。【解決手段】  主部２が概略直方体に形成され、その上面２ａに、平面型表示装置６の正面及び背面を主部２の対向する２つの長手面２ａ、２ｂにほぼ平行に位置されている。  主部２における平面型表示装置４の長手面２ａ、２ｂ側に、正面側及び背面側折り畳み部８、１０が配置されている。折り畳み部８、１０の両側面にほぼ接するように主部２から突片部１２、１４が伸延し、折り畳み部８、１０の側面から突片部１２、１４側に回転軸２０、２２が突出し、突片部１２、１２に形成された軸孔１６、１８に挿通されている。軸孔１６、１８には、折り畳み部８、１０が平面型表示装置４の正面及び背面に対してほぼ垂直よりも大きな角度をなすことを阻止する阻止部が形成されている。【選択図】        図５
2007334208.tif 000002
【特許請求の範囲】
【請求項１】
概略直方体に形成され、その上面に、平面型表示装置の正面及び背面を前記直方体の対向する２つの長手面にほぼ平行に位置させた状態で前記平面型表示装置が配置され、前記平面型表示装置の厚さよりも前記２つの長手面間の寸法が大きい主部と、
この主部における前記平面型表示装置の正面及び背面側の少なくとも一方の前記長手面側に、前記平面型表示装置の正面及び背面の少なくとも一方にほぼ対向し、かつほぼ平行に配置された折り畳み部と、
この折り畳み部の両側面にほぼ接するように前記主部から伸延した突片部と、
前記折り畳み部の側面及び前記突片部の一方から他方にほぼ水平に伸びた回転軸と、
この回転軸を回転自在に受けるように、前記折り畳み部の側面及び前記突片部の他方に形成され、前記折り畳み部が前記平面型表示装置の正面及び背面の少なくとも一方に対してほぼ垂直よりも大きな角度をなすことを阻止する阻止部を有する軸孔とを、
具備する平面型表示装置の支持台。
【請求項２】
請求項１記載の平面型表示装置の支持台において、前記回転軸は、前記折り畳み部が前記平面型表示装置の正面及び背面の少なくとも一方に対してほぼ垂直な状態において、ほぼ水平に位置する下面を有し、前記阻止部は、前記回転軸の前記下面の一部に接するように前記軸孔に形成されている平面型表示装置の支持台。
【請求項３】
概略直方体に形成され、その上面に、平面型表示装置の正面及び背面を前記直方体の対向する２つの長手面にほぼ平行に位置させた状態で前記平面型表示装置が配置され、前記平面型表示装置の厚さよりも前記２つの長手面間の寸法が大きい主部と、
この主部における前記平面型表示装置の正面及び背面側の少なくとも一方の前記長手面側に、前記平面型表示装置の正面及び背面の少なくとも一方にほぼ対向し、かつほぼ平行に配置された折り畳み部と、
この折り畳み部の両側面にほぼ接するように前記主部から伸延した突片部と、
前記折り畳み部の側面及び前記突片部の一方から他方にほぼ水平に伸びた回転軸と、
この回転軸を回転自在に受けるように、前記折り畳み部の側面及び前記突片部の他方に形成された軸孔とを、
具備し、前記折り畳み部は、前記主部との間に間隔をおいて配置され、前記軸孔は、前記主部側に向かってほぼ水平に延長され、前記折り畳み部が、前記平面型表示装置の正面及び背面に対してほぼ垂直な状態において、前記折り畳み部が前記主部側に移動したとき、互いに係合する係合部と係止部とを、前記折り畳み部側の前記長手面とこれと対向する前記折り畳み部側の面とに設けた平面型表示装置の支持台。
【請求項４】
請求項３記載の平面型表示装置の支持台において、前記係合部は、前記折り畳み部側の前記長手面とこれと対向する前記折り畳み部側の面の一方に、他方に向けて突出させた係合突部であり、前記係止部は、前記他方に設けられ、前記係合突部を押圧挟持する平面型表示装置の支持台。
【請求項５】
請求項１または３記載の平面型表示装置の支持台において、前記折り畳み部側の前記長手面とこれと対向する前記折り畳み部側の面の一方に、他方に向けて突出する突部を有し、前記折り畳み部側の前記長手面とこれと対向する前記折り畳み部側の面が接するように、前記折り畳み部が、前記主部側に移動したとき、前記突部が侵入する開口が前記他方に設けられた平面型表示装置の支持台。
【請求項６】
平面型表示装置が取り付けられる、平面形状がほぼ長方形である基部と、
この基部の両端部に配置され、中途が鉛直な軸回りに回転自在に、前記基部に取り付けられた１対の脚部とを、
具備する平面型表示装置の支持台。
【請求項７】
請求項６記載の平面型表示装置の支持台において、前記１対の脚部を前記基部と一直線状に配置した状態において、前記１対の脚部の前記基部の端部から突出している部分の長さが、前記１対の脚部の前記基部の下面に位置する部分よりも短くなるように、前記鉛直な軸の取付位置が決定されている平面型表示装置の支持台。
【請求項８】
請求項５記載の平面型表示装置の支持台において、前記基部及び前記１対の脚部の一方に突起を設け、他方に前記突起が侵入可能な凹所を形成し、前記突起は、前記軸の回りに描いた円弧上に形成され、前記凹所は、前記１対の脚部を前記基部に対して垂直に配置した状態において、前記突起が侵入可能な位置に形成されている平面型表示装置の支持台。
【発明の詳細な説明】
【技術分野】
【０００１】
本発明は、液晶表示装置やプラズマディスプレイのような平面型表示装置の支持台に関し、特に折り畳むことができるものに関する。
【背景技術】
【０００２】
従来、折り畳むことができる支持台としては、例えば特許文献１に開示されているものがある。この特許文献１の支持台では、薄型ディスプレイを立設させる柱状のスタンド本体の下方側に、前置台と後置台とが設けられている。これら前置台と後置台とは、スタンド本体に対してその前後において垂直となって、スタンド本体と共に逆Ｔ字状をなす。前置台と後置台とは、その厚さ寸法が、スタンド本体の前後方向に寸法の１／２に形成され、両者が重なりあってスタンド本体の下部にあるとき、スタンド本体と一直線状にある。この状態から前置台が前方に、後置台が後方にそれぞれ開かれて、上述したようにスタンド本体と共に逆Ｔ字状をなす。
【０００３】
このように構成された支持台では、前置台及び後置台が、スタンド本体と一直線をなす状態と、スタンド本体に対して直角な状態とをとることができるので、例えばテーブル上等に薄型ディスプレイを配置する場合には、前置台及び後置台をスタンド本体に対して直角な状態とし、薄型ディスプレイを壁等に取り付ける場合には、前置台及び後置台がスタンド本体と一直線状の状態とする。これによって、テーブルでも壁でも薄型ディスプレイを配置することができる。また、このような構成では、前置台及び後置台が、スタンド本体と一直線をなす状態で、梱包すれば、梱包ケースの幅寸法を短くすることができる。
【０００４】
【特許文献１】特開２０００−５６６９５号公報
【発明の開示】
【発明が解決しようとする課題】
【０００５】
しかし、特許文献１の技術では、前置台及び後置台が、スタンド本体と一直線をなす状態で梱包すると、前置台及び後置台の下端から薄型ディスプレイの上端までの長さ寸法が、前置台及び後置台をスタンド本体に対して直角な状態で梱包した場合よりも長くなる。そのため、トラックや船舶等の輸送機関によって輸送する際に、積み込める台数が少なくなる。
【０００６】
本発明は、例えば薄型ディスプレイのような平面型表示装置を梱包した際に、その梱包ケースの奥行き寸法（平面型表示装置の正背面方向寸法）を短くした上に、高さ寸法も短くすることが可能な支持台を提供することを目的とする。
【課題を解決するための手段】
【０００７】
本発明の一態様の平面型表示装置の支持台は、主部を有している。主部は、概略直方体に形成され、その上面に平面型表示装置が配置されている。この配置は、平面型表示装置の正面及び背面が前記直方体の対向する２つの長手面にほぼ平行に位置するように行われている。前記平面型表示装置の厚さよりも前記２つの長手面間の寸法が大きく主部は形成されている。平面型表示装置としては、液晶表示装置、プラズマディスプレイ、ＳＥＤ等種々のものを使用することができる。主部における平面型表示装置の正面及び背面側の少なくとも一方の前記長手面側に、前記平面型表示装置の正面及び背面の少なくとも一方にほぼ対向し、かつほぼ平行に折り畳み部が配置されている。折り畳み部は、平面型表示装置の正面側及び背面側の両方に設けることもできるし、正面側及び背面側の少なくとも一方において、長手面の長さ方向に沿って複数設けることもできる。この折り畳み部の両側面にほぼ接するように、主部から突片部伸延している。折り畳み部の側面及び前記突片部の一方から他方にほぼ水平に回転軸が伸びている。この回転軸を回転自在に受けるように、前記折り畳み部の側面及び前記突片部の他方に軸孔が形成されている。前記折り畳み部が前記平面型表示装置の正面及び背面の少なくとも一方に対してほぼ垂直よりも大きな角度をなすことを阻止する阻止部が軸孔には設けられている。なお、前記平面型表示装置の正面及び背面の少なくとも一方にほぼ対向し、かつほぼ平行に折り畳み部が配置されている状態を維持する別の阻止部を、軸孔に設けることもできる。
【０００８】
このように構成された支持台では、ケースに梱包する場合、折り畳み部が平面型表示装置の正面及び背面の少なくとも一方に対向し、かつほぼ平行に位置しているので、梱包ケースの奥行き（平面型表示装置の正面及び背面方向）の寸法は、折り畳み部を前記平面型表示装置の正面及び背面の少なくとも一方に対してほぼ垂直に位置させた状態よりも短くすることができるし、梱包ケースの高さ寸法は、主部の下端から平面型表示装置の上端までの長さ寸法だけあればよい。従って、梱包ケースを小型化することができる。
【０００９】
なお、梱包ケースから取り出して後には、折り畳み部を回転軸の回りに平面型表示装置から離れる方向に回転させ、折り畳み部を前記平面型表示装置の正面及び背面の少なくとも一方に対してほぼ垂直に位置させると、阻止部によって、それ以上、折り畳み部が回転することを阻止され、折り畳み部が平面型表示装置に対して垂直な状態が維持される。
【００１０】
回転軸は、前記折り畳み部が前記平面型表示装置の正面及び背面の少なくとも一方に対してほぼ垂直な状態において、ほぼ水平に位置する下面を有するものとすることができる。この場合、前記阻止部は、前記回転軸の前記下面の一部に接するように前記軸孔に形成されている。また、前記別の阻止部として、前記軸孔にほぼ鉛直な面を設け、上記回転軸において前記下面とほぼ平行に上面を設け、前記平面型表示装置の正面及び背面の少なくとも一方にほぼ対向し、かつほぼ平行に折り畳み部が配置されている状態において、前記上面に前記鉛直な面を接触させることもできる。
【００１１】
上述した態様または、この態様から阻止部を除去した状態において、前記折り畳み部を、前記主部との間に間隔をおいて配置することができる。この場合、前記軸孔は、前記主部側に向かってほぼ水平に延長され、前記折り畳み部が、前記平面型表示装置の正面及び背面に対してほぼ垂直な状態において、前記折り畳み部が前記主部側に移動したとき、互いに係合する係合部と係止部とを、前記折り畳み部側の前記長手面とこれと対向する前記折り畳み部側の面とに設けてある。
【００１２】
このように構成すると、折り畳み部を主部側に起動させることによって係合部と係止部とが係合し、折り畳み部が、前記平面型表示装置の正面及び背面に対してほぼ垂直な状態を維持することができる。
【００１３】
更に、前記係合部を、前記折り畳み部側の前記長手面とこれと対向する前記折り畳み部側の面の一方に、他方に向けて突出させた係合突部とすることができる。この場合、前記係止部は、前記他方に設けられ、前記係合突部を押圧挟持する。係止部は、例えば弾性手段によって前記係合突部を挟持する方向に付勢されているものとすることができる。
【００１４】
上記２つの態様のいずれかにおいて、折り畳み部側の前記長手面とこれと対向する前記折り畳み部側の面の一方に、他方に向けて突出する突部を設けることができる。この場合、前記折り畳み部側の前記長手面とこれと対向する前記折り畳み部側の面が接するように、前記折り畳み部が、前記主部側に移動したとき、前記突部が侵入する開口が前記他方に設けられている。
【００１５】
このように構成すると、折り畳み部が平面型表示装置の正面及び背面の少なくとも一方に対してほぼ垂直な状態において、折り畳み部及び主部の一方に形成された突部が、折り畳み部及び主部の他方に侵入しているので、より強固に折り畳み部が平面型表示装置の正面及び背面の少なくとも一方に対してほぼ垂直な状態を維持することができる。
【００１６】
本発明の別の態様は、基部を有している。この基部は、平面型表示装置が取り付けられるもので、その平面形状がほぼ長方形である。この基部の両端部に１対の脚部が配置されている。これら脚部の中途が鉛直な軸回りに回転自在に、前記基部に取り付けられている。
【００１７】
このように構成された支持台では、１対の脚部を、基部に対してほぼ垂直な状態と、基部とほぼ一直線の状態との間で自由に変更することができる。従って、基部の長さ方向に平面型表示装置の正面及び背面が沿うように基部に平面型表示装置を取り付けて、ケースに梱包する場合には、基部に対してほぼ一直線に１対の脚部を配置することによって、梱包ケースの奥行き方向（平面型表示装置の正面及び背面方向）の寸法を短くすることができる上に、梱包ケースの高さ寸法も、平面型表示装置の上端から１対の脚部までの長さとすることができる。従って、梱包ケースを小型化することができる。
【００１８】
更に、前記１対の脚部を前記基部と一直線状に配置した状態において、前記１対の脚部の前記基部の端部から突出している部分の長さが、前記１対の脚部の前記基部の下面に位置する部分よりも短くなるように、前記鉛直な軸の取付位置を決定することができる。
【００１９】
このように構成すると、基部の両端から１対の脚部が突出する量を少なくすることができ、梱包ケースの幅方向の寸法を短くすることができる。
【００２０】
また、前記基部及び前記１対の脚部の一方に突起を設けることができる。この場合、他方に前記突起が侵入可能な凹所を形成する。凹所は、貫通孔とすることもできるし、単に突起が侵入可能なものでもよい。前記突起は、前記軸の回りに描いた円弧上に形成され、前記凹所は、前記１対の脚部を前記基部に対して垂直に配置した状態において、前記突起が侵入可能な位置に形成されている。
【００２１】
このように構成すると、各脚部を基部に対して垂直に配置した状態において、突起が凹所内に侵入して、垂直に配置した状態が維持される。
【発明の効果】
【００２２】
以上のように、本発明による支持台によれば、梱包ケースを小型化することができ、輸送機関に積み込む際に、より多くの平面型表示装置を積み込むことができる。
【発明を実施するための最良の形態】
【００２３】
本発明の第１の実施形態の支持台は、図１に示すように、主部２を有している。主部２は、例えば扁平な直方体状に形成されている。この主部２の上面２ａの中央に、図５に示すように平面型表示装置、例えば液晶表示装置４を取り付けるためのスタンド６が形成されている。液晶表示装置４の正面が主部２の長手面２ｂ側に位置し、背面が長手面２ｃ側に位置し、正面及び背面が長手面２ｂ、２ｃに平行に位置するように、液晶表示装置４は、スタンド６に取り付けられる。なお、長手面２ｂ、２ｃは、互いに対向し、かつ平行である。以後、長手面２ｂを正面側長手面２ｂと、長手面２ｃを背面側長手面２ｃと称する。
【００２４】
正面側長手面２ｂ側に、折り畳み部、例えば正面側折り畳み部８が配置されている。同様に、背面側長手面２ｃ側に折り畳み部、例えば背面側折り畳み部１０が、主部２の後方に配置されている。これら折り畳み部８、１０も主部２と同様に概略扁平な直方体状に形成されている。但し、正面側折り畳み部８の上面８ａは、幾分前方に向かうに従って下方に向かうように湾曲されている。背面側折り畳み部１０の上面１０ａは、主部２の上面２ａと同様に水平に形成されている。正面側折り畳み部８及び背面側折り畳み部１０の長手寸法及び高さ寸法は、主部２の長手寸法及び高さ寸法とほぼ同一である。奥行き寸法は、主部２の奥行き寸法よりも短く、後述するように折り畳んだ状態において、図５（ａ）に示すようにそれらの先端部が液晶表示装置４の下部まで到達しない。これら主部２、正面側折り畳み部８及び背面側折り畳み部１０は、例えば合成樹脂製である。
【００２５】
正面側折り畳み部８の背面８ｂは、図１及び図２に示すように、正面側長手面２ｂと所定の間隔を隔てて位置している。同様に、背面側折り畳み部１０の正面１０ｂも、背面側長手面２ｃと上記所定の間隔を隔てて位置している。
【００２６】
正面側長手面２ｂの両側面から、正面側折り畳み部８の両側面に向かって突片部１２、１２が突出している。これら突片部１２は、正面側折り畳み部８の両側面とそれぞれ接触している。同様に背面側長手面２ｃの両端から背面側折り畳み部１０の両側面に向かって突片部１４、１４が、背面側折り畳み部１０の両側面と接触するように突出している。これら突片部１２、１２、１４、１４には、それぞれ軸孔１６、１６、１８、１８が形成されている。
【００２７】
これら軸孔１６、１６、１８、１８には、図４（ａ）、（ｂ）に示すように、正面側折り畳み部８、背面側折り畳み部１０の各側面から、これらにほぼ垂直に突出した回転軸２０、２０、２２、２２が挿入されている。図４（ａ）に示すように回転軸２０、２０、２２、２２は、短直方体状に形成され、各角部は面取り部２０ａ乃至２０ｄを形成するように面取りされている。図５（ｄ）や図４（ｂ）に示すように正面側及び背面側折り畳み部８、１０が液晶表示装置４の正面及び背面に対して垂直に位置する状態、即ち正面側及び背面側折り畳み部８、１０が非折り畳み状態から、図５（ａ）に示すように正面側及び背面側折り畳み部８、１０の上面８ａ、１０ａが液晶表示装置４の正面及び背面に平行な折り畳み状態まで上方に回転可能なように、また、折り畳み状態から非折り畳み状態に下方に回転可能に、軸孔１６、１６は、例えば図４（ａ）に示すような形状に形成されている。
【００２８】
即ち、軸孔１６は、図４（ａ）に示すように、湾曲縁１６ａ、１６ｂ、１６ｃを有し、更に阻止部、例えば水平阻止縁１６ｄ、１６ｅと垂直阻止縁１６ｆ、１６ｇも有している。正面側に下方から主部２側に上方を向いて向かう湾曲縁１６ａが位置し、その下縁に連ねて水平阻止縁１６ｄが背面側に向かい、その端部から湾曲縁１６ｂが下方に向かい、これに連ねて垂直阻止縁１６ｆが下方に向かい、これに連ねて水平阻止縁１６ｅが主部２側に向かい、これに連ねて上方に向かう垂直阻止縁１６ｇが位置する。この垂直阻止縁１６ｇの中途から主部２側に湾曲縁１６ｃが主部２側を向いて上方に向かっている。
【００２９】
非折り畳み状態では、回転軸２０の正面側の２つの面取り部２０ａ、２０ｂが湾曲縁１６ａに接触し、かつ回転軸２０の下面２０ｅの正面側の一部が水平阻止縁１６ｄに接触して、正面側折り畳み部８がこれ以上下方に回転することを阻止している。この状態から正面側折り畳み部８を平面側表示装置４側に回転させると、面取り部２０ａ、２０ｂが湾曲縁２０ａに案内されて、一点鎖線で示すように、回転軸２０の下面２０ｅが湾曲縁１６ｂに接触するまで、上方に回転する。この後は、回転軸２０の下面２０ｅが湾曲縁１６ｂに案内されて、破線で示す位置まで回転し、折り畳み状態となる。この状態では、回転軸２０の上面２０ｆが垂直阻止縁１６ｇに接触し、かつ回転軸２０の背面２０ｇが水平阻止縁１６ｅに接触している。更に回転軸２０の下面２０ａは垂直阻止縁１６ｆに接触可能である。従って、これ以上、折り畳み部２０が液晶表示装置４側に回転することが阻止される。
【００３０】
なお、折り畳み状態から非折り畳み状態への回転は、上述した回転と逆に正面側折り畳み部８が回転するが、その際に、回転軸２０の背面側の面取り部２０ｃを湾曲縁１６ｃが案内する。この場合も、折り畳み状態から一気に非折り畳み状態に正面側折り畳み部８及び非折り畳み部１０は回転しない。従って、折り畳み状態から非折り畳み状態に回転させる場合に、手を折り畳み部８、１０と設置面との間に挟むことはない。
【００３１】
背面側折り畳み部１０側の軸孔１８、回転軸２２も、主部２を通る鉛直線を対称軸として、軸孔１６、回転軸２０と線対称に形成されている。
【００３２】
非折り畳み状態において、正面側折り畳み部８を主部２側に移動させて、正面側折り畳み部８の背面８ｂが、主部２の正面側長手面２ｂに接触するように、スライド可能に、軸孔１６の垂直阻止縁１６ｃの中途から水平に主部２側に長孔２４が形成されている。長孔２４と主部２を通る鉛直線を対称軸として線対称に長孔２６が形成されている。
【００３３】
図２に示すように、正面側折り畳み部８の背面８ｂには、非折り畳み状態において、主部２の正面側長手面２ｂ側に突出するように、係合部２８、２８が正面側折り畳み部８の長手方向に間隔をおいて配置されている。これら係合部２８、２８は、水平に伸びた首部２８ａの先端に膨大部２８ｂを有するものである。
【００３４】
これら係合部２８、２８に対応する主部２の正面側長手面には、開口２９、２９が形成され、これら開口２９、２９の内部に、係止部３０、３０が設けられている。係止部３０、３０は、係合部２８の膨大部２８ｂと首部２８ａとの結合部付近をその両側から挟持する挟持手段、例えば爪部３０ａ、３０ａを有し、これら爪部３０ａ、３０ａを膨大部２８ｂと首部２８ａとの結合部側に回転させる付勢力が付勢手段、例えばばね３０ｂによって与えられている。従って、正面側折り畳み部８を主部２側にスライドさせたとき、係合部２８、２８が開口２９、２９から主部２内に侵入し、ばね３０ｂ、２０ｂの付勢力に抗して、爪部３０ａ、３０ａを押し開く。これによって、爪部３０ａ、３０ａがばね３０ｂ、３０ｂの付勢力の反力によって、係合部２８の首部２８と膨大部２８ｂとの結合部付近を強固に挟持する。これによって、折り畳み部８は主部２に結合される。
【００３５】
背面側折り畳み部１０の正面１０ｂには、主部２の長さ方向に沿う軸を対称軸として、係合部２８と線対称に係合部３２、３２が設けられ、主部２内には、開口２９、２９、係止部３０、３０と線対称に開口３３、３３、係止部３４、３４が形成されている。従って、背面側折り畳み部１０も、主部２側にスライドされたとき、係合部３２、３２が係止部３４、３４に強固に挟持され、主部２に結合される。
【００３６】
また、正面側折り畳み部８の背面８ｂにおける係合部２８、２８の両側及び係合部２８、２８の間には、主部２に正面側長手面２ｂ側に突出する概略直方体状の突部３６、３６、３６が形成されている。折り畳み部８を主部２側にスライドさせたとき、これら突部３６、３６、３６が主部２内に侵入するように、これら突部３６、３６、３６に対応して開口３８、３８、３８が主部２の正面側長手面２ｂに形成されている。従って、折り畳み部８を主部２側にスライドさせたとき、これら突部３６、３６、３６が主部２内に侵入し、主部２と正面側折り畳み部８との結合状態における機械的強度を高めている。
【００３７】
背面側折り畳み部１０の正面１０ｂには、突部３６、３６、３６と線対称に突部４０、４０、４０が形成され、主部２の背面側長手面２ｃには、開口３８、３８、３８と線対称に開口４２、４２、４２が形成され、やはり背面側折り畳み部１０が主部２側にスライドさせられて、主部２と結合されたとき、その結合の機械的強度を高めている。
【００３８】
図２及び図３に示すように、正面側折り畳み部８及び背面側折り畳み部１０の下面には、それぞれ短い円筒状の脚部４４、４４、４４、４６、４６、４６が形成されている。
【００３９】
このように構成された支持台は、図５（ａ）に示すように、正面側折り畳み部８、背面側折り畳み部１０を折り畳んだ状態で、ケースに梱包される。このとき、回転軸２０、２２の上面が垂直阻止縁１６ｃ、１８ｃに接触しているので、この折り畳み状態よりも液晶表示装置４側に、正面側折り畳み部８、背面側折り畳み部１０が回転することはない。
【００４０】
この状態において、正面側折り畳み部８及び背面側折り畳み部１０をそれぞれ正面側及び背面側に回転させると、図５（ｂ）の状態を経て、図５（ｃ）に示すように非折り畳み状態となる。この状態から正面側折り畳み部８及び背面側折り畳み部１０を主部２側にスライドさせると、これらが主部２に固定される。
【００４１】
図５（ａ）に示すように、折り畳み状態では、正面側折り畳み部８及び背面側折り畳み部１０は液晶表示装置４の正面及び背面側にそれぞれ対向するように位置している。従って、折り畳んだ状態で、その高さ寸法が大きくなることがない。しかも、非折り畳み状態において正面側及び背面側折り畳み部８、１０を主部２側にスライドさせることによって、係合部２８、３２、係止部３０、３４によって正面側及び背面側折り畳み部８、１０が主部２強固に結合され、突部３６、４０によって機械的強度が増加されている。
【００４２】
上記の実施の形態では、回転軸２０、２２を正面側折り畳み部８、背面側折り畳み部１０に設け、軸孔１６、１８を突片部１２、１４に設けたが、逆に回転軸２０、２２を突片部１２、１４に設け、軸孔１６、１８を正面側折り畳み部８、背面側折り畳み部１０に設けることもできる。同様に、係合部２８、３２を主部２に設け、係止部３０、３４を正面側折り畳み部８、背面側折り畳み部１０に設けることもできる。同様に、突部３６、４０を主部２側に設けることもできる。また、上記の実施形態では、正面側と背面側とに折り畳み部を設けたが、いずれか一方だけに折り畳み部を設けることもできる。また、正面側に１つの折り畳み部８を、背面側に１つの背面側折り畳み部１０を設けたが、例えば正面側折り畳み部８、背面側折り畳み部１０のいずれか一方または両方を、それらの長さ方向に沿って複数に分割して形成することができる。この場合、分割した折り畳み部ごとに回転軸と軸孔とを設ける。また、軸孔１６、１６、１８、１８の形状は、上述したものに限らず、折り畳み状態から非折り畳み状態に回転軸２０、２２を案内することができるものであれば、他の形状とすることもできる。
【００４３】
本発明の第２の実施形態の液晶表示装置の支持台は、図６及び図７に示すように、基部１００を有している。基部１００は、例えば長方形状に形成され、その両長手縁を上方に折り返したものである。この基部１００の上面の長さ方向のほぼ中央には、液晶表示装置（図示せず）を固定するためのブラケット１０２が取り付けられている。
【００４４】
基部１００の両端に、１対の脚部１０４、１０４が取り付けられている。これら脚部１０４、１０４は、図６（ａ）に示すように基部１００と１対の脚部１０４、１０４とが一直線状に配置されている状態と、同図（ｂ）及び図７に示すように基部１００に対して１対の脚部１０４、１０４がほぼ直角をなすように配置されている状態との間を、変更可能に構成されている。
【００４５】
即ち、図８に拡大して示すように、脚部１０４、１０４の上面からこれに垂直に軸１０６、１０６が突出している。これら軸１０６、１０６に基部１００の両端部に形成した開口１０８、１０８が挿通されている。軸１０６には基部１００の上面に接触するようにウエーブワッシャー１１０、１１０が、図９に示すように挿通されている。これらウエーブワッシャー１１０、１１０に接触するように軸１０６には円板状のストッパ１１２、１１２が挿通され、ストッパ１１２、１１２がウエーブワッシャー１１０、１１０を基部１００側に押圧するように、Ｅリング１１４、１１４によってストッパ１１２、１１２が軸１０６に固定されている。従って、基部１００を固定した状態で、軸１０６を下方に押圧して、脚部１０４、１０４の基部１００への接触を解除すると、脚部１０４、１０４は、軸１０６、１０６の周囲に回転自在となる。従って、例えば図６（ａ）に示すように脚部１０４、１０４が基部１００に対して一直線な状態から直角な状態に脚部１０４、１０４を回転させることができる。
【００４６】
なお、これら回転軸１０６、１０６の脚部１０４、１０４への設置位置は、図６（ａ）に示すように、かなり一方の端に偏った位置である。これは、脚部１０６、１０６を基部１００に対して一直線状態としたときに、基部１００の両端から外方に脚部１０４、１０４の突出量を少なくするためである。
【００４７】
図６（ａ）に示すように、一直線状態において、基部１００からの脚部１０６、１０６における突出部の上面から、互いに点対称に係合用突起１１６、１１６が上方に突出している。上述したように脚部１０４、１０４を基部１００に対して直角に回転させた状態において、これら突起１１６、１１６が、図９に示すように侵入する凹所、例えば係合孔１１８、１１８が基部１００の両端にそれぞれ形成されている。これら突起１１６、１１６の係合孔の侵入によって、脚部１０４、１０４が基部１００に対して直角な状態が固定される。なお、この固定状態を解除する場合には、上述したように基部１００を固定して、軸１０６、１０６を下方に押せばよい。
【００４８】
なお、図８に１２０は、脚部１０４内に設けた強度を上げるための補強体であり、下端には蓋１２２が取り付けられている。
【００４９】
この実施形態においても、梱包する際に、図６（ａ）に示すように脚部１０４、１０４を基部１００に対して一直線状に配置することによって、梱包ケースの高さ寸法を短くすることができる。しかも、回転の中心となる軸１０６、１０６の位置を、脚部１０４、１０４の基部１００からの突出量が少なくなるように一方の端部に偏った位置に選択してあるので、梱包ケースの幅寸法を必要最小限度に短くすることができる。
【００５０】
この実施形態では、基部１００側に開口１０８を設け、脚部１０４側に軸１０６を設けたが、逆に、基部１００側に軸１０６を設け、脚部１０４側に開口１０８を設けることもできる。同様に、突起１１６を基部１００側に設け、貫通孔１１８に代えて突起１１６が侵入可能な凹部を脚部１０４に設けることもできる。
【００５１】
以上のように、これら２つの実施形態によって例示した支持台では、液晶表示装置に取り付けて梱包した際に、その梱包ケースの高さ寸法を短くすることができ、トラック等への梱包ケースの積み込み量を増加させることができる。
【図面の簡単な説明】
【００５２】
【図１】本発明の第１の実施形態の支持台の非折り畳み状態の斜視図である。
【図２】図１の支持台の横断面図である。
【図３】図１の支持台の正面図である。
【図４】図１の支持台の側面図とその部分拡大図である。
【図５】図１の支持台の折り畳み状態から非折り畳み状態への変化過程を示す図である。
【図６】本発明の第２の実施形態の支持台における脚部が基部に対して一直線状態と直角状態との斜視図である。
【図７】図６の支持台の直角状態の平面図である。
【図８】図７のＡ−Ａ線に沿う断面図である。
【図９】図７のＢ−Ｂ線に沿う部分省略断面図である。
【符号の説明】
【００５３】
２  主部
８  正面側折り畳み部
１０  背面側折り畳み部
【図１】
2007334208.tif 000003
【図２】
2007334208.tif 000004
【図３】
2007334208.tif 000005
【図４】
2007334208.tif 000006
【図５】
2007334208.tif 000007
【図６】
2007334208.tif 000008
【図７】
2007334208.tif 000009
【図８】
2007334208.tif 000010
【図９】
2007334208.tif 000011